(57)【特許請求の範囲】
【請求項１】
左右１対のカップ部、該カップ部の下部に位置する２枚のカップ台、左右２枚の脇布、左右２枚のほぼ扇形のカップ部当て布、及び該カップ部の上縁部と接合される左右１対の肩紐とからなり、
前記２枚のカップ台が、右カップ部の下縁部と左右２枚の脇布に縫合されてなる右カップ台及び、左カップ部の下縁部と左右２枚の脇布に縫合されてなる左カップ台であり、該右カップ台と該左カップ台は相互に縫合されておらず、
前記カップ部当て布は、カップ部中央より脇側を被覆するように配置され、
前記カップ部当て布は前記肩紐と前記カップ部との接合部に上端部が且つ前記カップ部と前記カップ台と前記脇布との接合部近傍に円弧状の下縁部がそれぞれ縫合されているのみであることを特徴とするカップ部当て布を有するブラジャー。
【請求項２】
前記カップ台が伸縮性の素材からなることを特徴とする請求項１に記載のカップ部当て布を有するブラジャー。
【請求項３】
前記カップ台がメッシュ素材からなることを特徴とする請求項２に記載のカップ部当て布を有するブラジャー。
【請求項４】
前記右カップ台と前記左カップ台がほぼＸ字状に交差しており、前中心に空間が設けられていることを特徴とする請求項１乃至３のいずれかに記載のカップ部当て布を有するブラジャー。
【請求項５】
前記カップ部の下縁部にワイヤーが装着されていることを特徴とする請求項１乃至４のいずれかに記載のカップ部当て布を有するブラジャー。
【発明の詳細な説明】
【技術分野】
【０００１】
本発明は、乳房を良好に保持しつつも体の動きに追従するとともに、乳房をサポートするブラジャーに関し、詳細には、着用者の運動時であっても、カップ部が乳房の動きに追従するとともに、運動により生じ得るカップ部と乳房の位置のずれを防ぎ、乳房を身体前中央に寄せる機能に加えて、乳房の形を良好に保持するサポート機能をより高めたブラジャーに関する。
【背景技術】
【０００２】
従来、乳房を理想的な形状に整えることにより、バスト全体を美しく形づける目的で、種々のタイプのブラジャーが着用されている。ブラジャーの形状としては、図９に示すような形状、即ち、左右１対のカップ部（Ａ）、カップ部（Ａ）の下部に縫合されたカップ台（Ｂ）、脇布（Ｃ）、及び肩紐（Ｄ）からなるブラジャーが一般的である。カップ部（Ａ）の下部に縫合されたカップ台（Ｂ）はカップ部（Ａ）の安定化を図るために設けられている。また、このカップ台（Ｂ）は、ブラジャーの身体への固定安定性を確実にすることができるとともに、乳房を内側に寄せて乳房のボリュームが脇の下へ逃げるのを防ぐ。更に乳房全体を持ち上げて乳房をより豊かに見せるために、カップ部（Ａ）の下縁湾曲部分にワイヤー（図示せず）が装着されたブラジャーも数多く存在する。
【０００３】
しかしながら、上記したような従来のブラジャーには、以下のような問題点が存在した。即ち、カップ部の安定化を図るために設けられたカップ台によって、かえってカップ部の融通性が妨げられてしまうため、腕を上下や前後に動かしたり身体を捩じらせた際や、洗濯物を干したり取り入れたりする時、掃除をする時など、特に胸部を捩じらせる上半身の運動を要する通常の家事労働の際に、乳房の動きにカップ部が対応できずにカップ部と乳房の位置がずれ、その結果乳房の形状が崩れたり、着用者が違和感を感じることがあるなど、着用性が悪いという問題点があった。また、カップ部の下縁湾曲部分にワイヤーが装着されたブラジャーの場合には、運動時にワイヤーが身体に食い込んで着用者が痛みを感じてしまうこともあった。
【０００４】
例えば、特許文献１には、ブラジャー全体を伸縮性の素材で形成したブラジャーが開示されており、このブラジャーは、激しい運動に追従することができる。しかしながら、ブラジャー全体を伸縮性の素材にすることにより、乳房を身体前中央に寄せる機能が損なわれる。したがって、特許文献１のブラジャーは、乳房を良好に保持できないという問題を有していた。
【０００５】
そこで、上記の課題を解決するために、本出願人は、特許文献２に記載の通り、腕を上下や前後に動かしたり身体を捩じらせた際や、洗濯物を干したり取り入れたりする時、掃除をする時など、胸部を捩じらせる上半身の運動を要する通常の家事労働の際に、カップ部が身体の動きにスムーズに対応して、カップ部と乳房の位置がずれることを防ぐことのできる、着用性に優れたブラジャーを開発した。これは、具体的には、左右１対のカップ部、該カップ部の下部に位置する２枚のカップ台、及び左右２枚の脇布からなるブラジャーであって、前記２枚のカップ台が、右カップ部の下縁部と左右２枚の脇布に縫合されてなる右カップ台及び、左カップ部の下縁部と左右２枚の脇布に縫合されてなる左カップ台であり、該右カップ台と該左カップ台は縫合されておらず、それぞれ独立した状態で遊離していることを特徴とするブラジャーである。
【先行技術文献】
【特許文献】
【０００６】
【特許文献１】特開２０００−２２０００５号公報
【特許文献２】特許第３３７３７９３号公報
【発明の概要】
【発明が解決しようとする課題】
【０００７】
本出願人は、特許文献２に係る発明を更に進化させ、通常の家事労働のみでなく様々な強度の運動も含む、様々な胸部を捩じる上半身の運動などの際に、カップ部が身体の動きにスムーズに対応して、カップ部と乳房の位置がずれることを防ぐという機能を有しつつ、乳房の形を良好に保持するサポート機能、乳房を身体前中央に寄せる機能、バストアップ機能をより高めた、着用性に優れたブラジャーを提供することを目的とする。
【課題を解決するための手段】
【０００８】
発明の請求項１に係る発明は、左右１対のカップ部、該カップ部の下部に位置する２枚のカップ台、左右２枚の脇布、左右２枚のほぼ扇形のカップ部当て布、及び該カップ部の上縁部と接合される左右１対の肩紐とからなり、前記２枚のカップ台が、右カップ部の下縁部と左右２枚の脇布に縫合されてなる右カップ台及び、左カップ部の下縁部と左右２枚の脇布に縫合されてなる左カップ台であり、該右カップ台と該左カップ台は相互に縫合されておらず、前記カップ部当て布は、カップ部中央より脇側を被覆するように配置され、前記カップ部当て布は前記肩紐と前記カップ部との接合部に上端部が且つ前記カップ部と前記カップ台と前記脇布との接合部近傍に円弧状の下縁部がそれぞれ縫合されているのみであることを特徴とするカップ部当て布を有するブラジャーに関する。
【００１０】
本発明の請求項２に係る発明は、前記カップ台が伸縮性の素材からなることを特徴とする請求項１に記載のカップ部当て布を有するブラジャーに関する
【００１１】
本発明の請求項３に係る発明は、前記カップ台がメッシュ素材からなることを特徴とする請求項２に記載のカップ部当て布を有するブラジャーに関する。
【００１２】
本発明の請求項４に係る発明は、前記右カップ台と前記左カップ台がほぼＸ字状に交差しており、前中心に空間が設けられていることを特徴とする請求項１乃至３のいずれかに記載のカップ部当て布を有するブラジャーに関する。
【００１３】
本発明の請求項５に係る発明は、前記カップ部の下縁部にワイヤーが装着されていることを特徴とする請求項１乃至４のいずれかに記載のカップ部当て布を有するブラジャーに関する。
【発明の効果】
【００１４】
請求項１に係るカップ部当て布を有するブラジャーによれば、カップ部の下部に２枚のカップ台が位置していることにより、カップ台の部分は生地が二重になるため、ブラジャーの保持力が高く、ブラジャーの身体への安定性を高めることができる。また、右カップ台は右カップ部の下縁部と左右２枚の脇布に縫合されており、左カップ台は左カップ部の下縁部と左右２枚の脇布に縫合されているので、右カップ台と左カップ台は縫合されず、それぞれ独立した状態で遊離することとなる。従って、カップ部が融通性を有しており、腕を上下や前後に動かしたり身体を捩じらせたりする際や家事などの通常の運動時に、身体の動きにスムーズに対応できるので、カップ部と乳房の位置がずれることはない。つまり、通常の状態では、ブラジャーは２枚のカップ台により身体に安定に固定されており、運動時には、カップ部が乳房の動きに追随してカップ部と乳房の位置がずれることを防ぐことができるので、着用性において非常に優れているという効果を奏する。
さらに、カップ部にカップ部当て布を備えることによって、乳房が、カップ部とカップ部当て布によって重ねて覆われ、より強い力で保持されるため、運動の際の乳房の位置変化や変形を防ぎ乳房の形を良好に保持するサポート機能をより高めることが可能となる。また、この重なった部分は、より強い力で乳房を保持し、乳房を身体前中央に寄せることも可能となる。
【００１５】
請求項１に係る発明によれば、カップ部当て布が肩紐とカップ部との接合部に上端部が且つカップ部とカップ台と脇布との接合部近傍に円弧状の下縁部がそれぞれ縫合されているのみであることにより、カップ部とカップ部当て布のずれが小さくなるので、乳房の位置変化や変形を防ぎ乳房の形を良好に保持するサポート機能をより高めつつも、遊離した部分によって通気性を保持することが可能となる。
【００１６】
請求項２に係る発明によれば、カップ台が伸縮性の素材からなるので、カップ部の融通性をより高めることができる。
【００１７】
請求項３に係る発明によれば、カップ台がメッシュ素材からなるので、ブラジャーの通気性が高いという効果を奏する。
【００１８】
請求項４に係るによれば、右カップ台と左カップ台がほぼＸ字状に交差しており、前中心に空間が設けられており、この空間の存在によりブラジャーの通気性をより高めることができるとともに、カップ部の融通性もより高めることができるという優れた効果を奏する。
【００１９】
請求項５に係る発明によれば、カップ部の下縁部にワイヤーが装着されているので、カップ部と乳房の位置がずれるのを防ぐことができるとともに、ワイヤーが身体に食い込むことによる痛みを感じることなくバストアップ効果を発揮することができるという効果を奏する。
【図面の簡単な説明】
【００２０】
【図１】図１は、本発明の１つの実施形態に係るブラジャーの外観図である。
【図２】図２は、図１に示すブラジャーの正面図である。
【図３】図３の（ａ）は、図１に示すブラジャーの右カップ台の外観図、図３の（ｂ）は、図１に示すブラジャーの左カップ台の外観図、図３の（ｃ）は、図３の（ａ）と図３の（ｂ）で示す左右カップ台がブラジャーに取り付けられる時の形態を示す図である。
【図４】図４は、カップ台の１つの変更例を含む本発明の別の実施形態に係るブラジャーの正面図である。
【図５】図５は、カップ台の他の変更例を含む本発明の別の実施形態に係るブラジャーの正面図である。
【図６】図６は、本発明の１つの実施形態のカップ部当て布を示す正面図である。
【図７】図７の（ａ）は、本発明の１つの実施形態のカップ部当て布を、左右のカップ台と脇布に縫合し連結させた状態を示す図である。図７の（ｂ）は、縫合した左のカップ台と脇布とカップ部当て布のパーツと、縫合した右のカップ台と脇布とカップ部当て布のパーツを、縫合し連結させた状態を示す図である。
【図８】図８は、カップ部当て布とカップ部との縫合部位を示す。
【図９】図９は、従来のブラジャーの外観図である。
【発明を実施するための形態】
【００２１】
以下、本発明のブラジャーを、図面を参照しつつ説明する。尚、本明細書におけるブラジャーとの用語は、一般的なブラジャー、ロングラインブラジャー（Long-line brassiere）、スリーインワン（Three in one）、ボディスーツ（body Suits）等カップ部を有するファンデーション類（Foundation Garment）を包含するものとする。
【００２２】
尚、図１乃至７の符号として使用する「Ａ」と「Ｂ」は、それぞれ、「着用者からみて右側」と「着用者からみて左側」を意味するものとする。
本明細書で使用する「融通性」とは、「着用者の運動による体の変形に追従して、ブラジャーが変形する性質」を意味する。
本明細書において、カップ部や乳房について使用される「外側」、「内側」は、それぞれ、「ブラジャーを身体に装着した時、脇に近い側」、「ブラジャーを身体に装着した時、身体の中心に近い側」を意味するものとする。
以下、図２乃至５を参照して、主にカップ台（３）について説明し、図６乃至８を参照して、主に、カップ部当て布（７）と、さらにカップ部当て布（７）と脇布（４）、カップ台（３）またはカップ部（２）の連結について説明する。
【００２３】
まず、図２乃至５を参照して、主にカップ台（３）について説明する。
図２は、本発明の１つの実施形態に係るブラジャーの正面図である。図２中、前記カップ台（３Ａ、３Ｂ）は、それぞれ、それらの上縁部がカップ部（２Ａ、２Ｂ）の下縁部の形状と同様に湾曲している。図２で示されるカップ台（３Ａ、３Ｂ）を拡大して、図３の（ａ）〜（ｃ）に示す。
図３の（ａ）は、右カップ台（３Ａ）を示す。右カップ台（３Ａ）は、その右上縁部（３１）が右カップ部（２Ａ）の下縁部に縫合されており、右側部（３３）は右の脇布（４Ａ）の前端に、左側部（３４）は左の脇布（４Ｂ）の前端にそれぞれ縫合されている。したがって、右上縁部（３１）は右カップ部（２Ａ）の下縁部に完全に沿うように湾曲した形状を有し、右カップ部（２Ａ）の下縁部の脇布側の端から前中心側の端付近まで縫合されている。
一方、左上縁部（３２）と左カップ部（２Ｂ）は縫合されないので、左上縁部（３２）は必ずしも左カップ部（２Ｂ）の下縁部に完全に沿うように湾曲した形状である必要はない。
【００２４】
右カップ台（３Ａ）の右上縁部（３１）の長さは特に限定されず、図２においては、右上縁部（３１）の長さは右カップ部（２Ａ）の下縁部の長さよりやや短い。この場合、左上縁部（３２）の湾曲の程度は、カップ部（２）の下縁部、即ち右カップ台（３Ａ）の右上縁部（３１）よりも小さくなる（即ち、上縁部（３１）より上縁部（３２）の方が緩やかに湾曲する形状である）。
【００２５】
図３の（ｂ）は、左カップ台（３Ｂ）を示す。左カップ台（３Ｂ）はその左上縁部（３２）が左カップ部（２Ｂ）の下縁部に縫合されており、左右の側部（３３、３４）はそれぞれ左右の脇布（４Ａ、４Ｂ）に縫合されている。したがって、左上縁部（３２）は左カップ部（２Ｂ）の下縁部に完全に沿うように湾曲しており、左カップ部（２Ｂ）の下縁部の脇布側の端から前中心側の端付近まで縫合されている。これに対し、右上縁部（３１）と右カップ部（２Ａ）は縫合されないので、右上縁部（３１）は必ずしも右カップ部（２Ａ）の下縁部に完全に沿うように湾曲した形状である必要はない。左カップ台（３Ｂ）の左上縁部（３２）、右上縁部（３１）の長さ、及びこれらの湾曲の程度も、前述の右カップ台（３Ａ）の場合と同様に、特に限定はされない。つまり、図２が示す如く、左上縁部（３２）の長さを左カップ部（２Ｂ）の下縁部の長さよりもやや短くして、右上縁部（３１）の湾曲の程度を左カップ部（２Ｂ）の下縁部よりも小さくしてもよい。
【００２６】
図３の（ｃ）は、カップ台（３Ａ）とカップ台（３Ｂ）が本発明のブラジャー（１）に取り付けられた状態の形態を示す。本発明のブラジャーは、２枚のカップ台（３Ａ、３Ｂ）がカップ部（２）の下部において、図３の（ｃ）に示すように重なっている。このように、カップ台（３）が二重に備わることにより、ブラジャー（１）の乳房保持機能が高められ、ブラジャー（１）の身体への安定性を高めることができる。
【００２７】
また、右カップ台（３Ａ）と左カップ台（３Ｂ）はそれぞれ縫合されておらず、独立した状態、即ち両者は遊離している。したがって、遊離した右カップ台（３Ａ）と左カップ台（３Ｂ）に縫合される右カップ部（２Ａ）と左カップ部（２Ｂ）は、それぞれ優れた融通性を有している。例えば、腕を上下や前後に動かしたり身体を捩じらせたりする時、胸部を捩じらせる上半身の運動を行った時、或いは具体的には洗濯物を干したり取り入れたりする作業の時、更には掃除等の日常の家事労働をする時には、カップ部（２）が乳房の動きにスムーズに対応できる。即ち、運動していない直立姿勢の状態では、ブラジャー（１）は２枚のカップ台（３）により身体に安定に固定されている。また、着用者が運動する時には、カップ部（２）が乳房の動きに追随する。従って、本発明のブラジャーは、優れた着心地を提供することができる。
【００２８】
左右２枚のカップ台（３）の左右の側部（３３、３４）の長さは特に限定されない。図２においては、右カップ台（３Ａ）は、その右側部（３３）が左側部（３４）よりもやや短く、左カップ台（３Ｂ）は、その左側部（３４）が右側部（３３）よりもやや短く形成されている。本発明のブラジャーにおいては、左右の側部（３３、３４）の長さは特に限定されず、例えば、両者を同じ長さにすることも可能である。但し、この図３の（ｃ）のように、右側部（３３）が左側部（３４）よりもやや短い左右非対称の右カップ台（３Ａ）と、左側部（３４）が右側部（３３）よりもやや短い左右非対称の左カップ台（３Ｂ）を用いることにより、２枚のカップ台（３）が交差するように重なる。この実施形態によると、右カップ台（３Ａ）は右上方向に、左カップ台（３Ｂ）は左上方向に伸長しやすくなる。したがって、右カップ台（３Ａ）と左カップ台（３Ｂ）の斜め方向の伸長が促進されて、カップ部（２）の融通性が一層高められることにより、右カップ部（２Ａ）と左カップ部（２Ｂ）が、それぞれ身体の動きによりスムーズに対応することが可能となる。
【００２９】
また、図１及び図２に示すブラジャーにおいては、右カップ台（３Ａ）の右上縁部（３１）の長さが右カップ部（２Ａ）の下縁部の長さよりもやや短く、左カップ台（３Ｂ）の左上縁部（３２）の長さが左カップ部（２Ｂ）の下縁部の長さよりもやや短くされている。この実施形態によると、左右のカップ台（３Ａ、３Ｂ）を重ねることにより、ブラジャー（１）の前中心に空間（６）が形成される。この空間（６）により、ブラジャー（１）の通気性が高められるとともに、カップ部（２）の融通性も更に高められる。また、この実施形態において、右カップ台（３Ａ）の右側部（３３）を左側部（３４）よりもやや短く、左カップ台（３Ｂ）の左側部（３４）を右側部（３３）よりもやや短くすることにより、これらが重ねられると、右カップ台と左カップ台がほぼＸ字状に交差する。このようなほぼＸ字状のカップ台は、カップ部（２）の融通性をより一層高めることができる。
【００３０】
カップ台（３）に用いられる素材は特に限定されないが、カップ部（２）の融通性を高めるために、縦横両方向に自在に伸縮するツーウェイ（two-way）伸縮布や、一方向にのみ伸縮するワンウェイ（one-way）伸縮布などの、伸縮性の素材を用いるのが好ましい。また、メッシュ（mesh）素材を用いると、ブラジャーの通気性を高めることができるのでより好ましい。
【００３１】
図４は、カップ台の１つの変更例を含む本発明の別の実施形態に係るブラジャーの正面図である。図４中、カップ台（３Ａ）の右上縁部（３１）の長さが右カップ部（２Ａ）の下縁部の長さと略同じである。また、カップ台（３Ｂ）の左上縁部（３２）の長さと左カップ部（２Ｂ）の下縁部の長さが略同じである。
この場合、カップ台（３Ａ）の左上縁部（３２）は、カップ部（２Ａ）の下縁部、即ち右カップ台（３Ａ）の右上縁部（３１）と同程度湾曲することとなるとともに、左上縁部（３２）と右上縁部（３１）の長さは略同じになる。同様に、カップ台（３Ｂ）の右上縁部（３１）は、カップ部（２Ｂ）の下縁部、即ち左カップ台（３Ｂ）の左上縁部（３２）と同程度湾曲することとなる。また、カップ台（３Ｂ）の左上縁部（３２）と右上縁部（３１）の長さは略同じになる。
この実施形態によると、カップ部（２）の下端がカップ台（３）により、完全に固定されているので、着用者の乳房の保持機能に優れる。また、乳房全体を持ち上げて乳房をより豊かに見せることができる。更に、これを継続して着用することにより、乳房を持ち上げられた形状に維持することが可能となる。
【００３２】
図５は、カップ台の他の変更例を含む本発明の別の実施形態に係るブラジャーの正面図である。図１乃至４を参照して説明したブラジャー（１）は、右カップ台（３Ａ）が左カップ台（３Ｂ）の上に重なっているが、図５のブラジャー（１）は、左カップ台（３Ｂ）が右カップ台（３Ａ）の上に重なるように形成されている。
【００３３】
次に、図６乃至８を参照して、カップ部当て布（７）について、さらにカップ部当て布（７）と脇布（４）、カップ台（３）およびカップ部（２）との連結について説明する。
図６は、左右のカップ部当て布（７Ａ）および（７Ｂ）を示す。カップ部当て布（７）は、上端部（７２）、下縁部（７１）、内側の側縁部（７４）及び外側の側縁部（７３）を有する。図６〜８で図示する実施例においては、カップ部当て布（７）は、ブラジャーを身体に装着した時、円弧状の部分が下部に位置する形状を呈している。以下、この実施例においては、この円弧上の部分を下縁部（７１）とし、これにほぼ対向する上部の部分を上端部（７２）、円弧状の下縁部（７１）と上端部（７２）とを結ぶ、ブラジャーを身体に装着した時脇に近い側の部分を外側の側縁部（７３）、身体の中心に近い側の部分を内側の側縁部（７４）とする。
【００３４】
カップ部当て布（７）は、少なくとも、カップ部（２）表面の外縁辺部を覆う。好ましくは、カップ部当て布（７）は、カップ部（２）の外側、すなわち、ブラジャーを身体に装着した時、脇に近い側、から、カップ部（２）表面を少なくとも約１／４を覆う大きさである。カップ部当て布（７）の素材は、以下に述べるように、特に限定されないが、どのような素材であっても、カップ部当て布（７）をブラジャーに縫合した際、カップ部当て布（７）は、それが覆う部位のカップ部（２）の形状にほぼ合致する形状をしている。
【００３５】
図７の（ａ）に、カップ部当て布（７）を左右のカップ台（３）と脇布（４）に縫合し連結させた状態を示す。図７中、脇布（４）は、カップ部（２）とカップ台（３）に連結する側の一部のみを示している。カップ部当て布（７）は、下縁部（７１）が、カップ台（３）と脇布（４）の縫合部（３Ｂａ，３Ｂｂ）の近傍でカップ台（３）と脇布（４）に縫合され、これらに連結されている（図７中、カップ台（３）と脇布（４）の連結部を太線（３Ｂａ，３Ｂｂ）、カップ部当て布（７）と、カップ台（３）および脇布（４）との連結部を、太線（７１ａ，７１ｂ）で示す）。
図７の（ｂ）は、カップ台（３Ｂ）と脇布（４Ｂ）とカップ部当て布（７Ｂ）とを縫合してなる左のパーツと、カップ台（３Ａ）と脇布（４Ａ）とカップ部当て布（７Ａ）とを縫合してなる右のパーツとを縫合し連結させた状態を示す。左右の脇布の両端の部分（太線（３Ｂａ，３Ｂｂ））で、左右のパーツを縫合し連結させている。
【００３６】
図８に、カップ部当て布（７）とカップ部（２）との縫合部位を左のパーツで示す。図８は、詳細には、破線で示されているカップ部（２）表面の中央から脇側に、カップ部当て布（７）を被せる（矢印（１０２））前の状態を示しており、位置関係をより理解しやすいように、カップ台（３）も示している（図８中、カップ部当て布（７）とカップ部（２）の連結部を、太線（７１ｂ、２１ｂ、７２ｂ、２２ｂで示す）。
【００３７】
カップ部当て布（７）は、少なくとも下縁部（７１）が、カップ部（２）の下縁部（２１）であって且つカップ台（３）と脇布（４）との縫合部（３Ｂｂ）の近傍（２１ｂ）に縫合されている。即ち、カップ部（２）とカップ台（３）と脇布（４）との接合部近傍にカップ部当て布（７）の下縁部（７１）が縫合されている。
本実施形態において、カップ部当て布（７）は、図８に示すように、さらに、その上端部（７２ｂ）がカップ部（２）表面の最上縁部（２２ｂ）と縫合されている（図８の太線）。この実施形態において、カップ部当て布（７）の下縁部（７１）と上端部（７２）以外の部分（７３）、（７４）は、カップ部（２）と縫合されておらず、カップ部（２）と遊離している。そのため、着用者の身体の運動に追随してカップ部（２）が動かされたとき、カップ部（２）とカップ部当て布（７）の間には隙間が生じ、より運動の自由度を保ち、かつ通気性を保持することができる。
【００３９】
カップ部当て布（７）に用いられる素材は、特に限定されないが、好ましくは、伸縮性の素材を用いるのが好ましい。また、メッシュ素材を用いると、ブラジャーの通気性を高めることができるのでより好ましい。
【００４０】
本発明のブラジャーは、乳房が、脇側で、カップ部（２）とカップ部当て布（７）によって重ねて覆われることとなる。この重なった部分は、重ならない他の部分より強い力で乳房を保持することとなるので、運動の際の乳房の位置変化や変形を防ぎ乳房の形を良好に保持するサポート機能をより高めることが可能となる。また、この重なった部分は、他の部分より強い力で外側から内側にかけて乳房を保持し、乳房を身体前中央に寄せることも可能となる。
【００４１】
さらに、カップ部当て布（７）の素材の伸張力を調節することによって、様々な強度の運動に応じた乳房のサポート力を生じさせることが可能である。例えば、洗濯や掃除などの通常の家事労働のような軽度の運動のためには、カップ部当て布（７）の素材を伸張力の大きなものとすることによって、カップ部が身体の動きにスムーズに対応して、カップ部と乳房の位置がずれることを防ぎつつも、乳房の位置や形を保持し、かつ、圧迫感を与えないブラジャーを提供することが可能となる。また、例えば、テニスやゴルフなどの上半身を激しく捩じる運動やマラソンのような長時間動き続ける運動のような激しい運動のためには、カップ部当て布（７）の素材を伸張力が比較的小さいものとすることによって、乳房の位置や形を保持しつつも、カップ部が身体の動きにスムーズに対応して、カップ部と乳房の位置がずれることを防ぐブラジャーを提供することが可能となる。
【００４２】
さらに、カップ部当て布（７）のカップ部（２）との縫合部位を調節することによって、運動の際の乳房の位置変化や変形を防ぎ乳房の形を良好に保持するサポート機能をさらに高めることが可能となる。すなわち、カップ部当て布（７）を、その円弧状の下縁部（７１）のみでなく、その上端部（７２）においてカップ部（２）表面と縫合し連結させることによって、カップ部（２）とカップ部当て布（７）のずれをより小さくし、連結された部分の乳房のサポート力をより大きくすることが可能である。図８に示す実施形態においては、カップ部当て布（７）は、その下縁部（７１）と上端部（７２）において（太線）、カップ部（２）と縫合されている。
【００４３】
以上が本発明のブラジャー（１）の構成要素に関する説明である。即ち、本発明のブラジャー（１）は、少なくとも、カップ部（２）、該カップ部の下部に位置するカップ台（３）、脇布（４）、およびカップ部当て布（７）を備える。
これら構成要素により、本発明のブラジャー（１）は、様々な胸部を捩じる上半身の運動時に、カップ部が乳房の動きに追従するとともに、カップ部と乳房の位置のずれを防ぐことが可能である。さらに、本発明のブラジャー（１）は、乳房を身体前中央に寄せる機能に加えて、常に乳房の形を良好に保持するサポート機能も保持することが可能となる。
【００４４】
本発明のブラジャー（１）においては、左右のカップ台（３）は、それぞれ遊離して、且つ左右の脇布前端に縫合されているから、着用者が運動した腕の反対側の脇布の前下端部が直接的に引っ張られるという現象が起こる。この現象に対応するためにブラジャー（１）は、カップ部当て布（７）を備える。これにより、カップ部の乳房のサポート力を高めることができる。
【００４５】
図２の矢印（１００）は、着用者が、例えば左腕を挙げた際に左肩紐（５Ｂ）、左カップ部（２Ｂ）、と左カップ台（３Ｂ）を介して、右脇布（４Ａ）が引っ張られる力の方向を示す。更に矢印（１００）で示される力により、右脇布（４Ａ）の下端部は矢印（１０１）の方向に引っ張られる。
しかしながら、この状況においても、カップ部当て布（７Ａ）を備えることにより、他のカップ部よりも大きな、乳房の形を保持する力が働き、矢印（１０１）の方向の引っ張りに耐えて、乳房の位置や形を保持することができる。
同様に、着用者が左腕を挙げた場合は、カップ部当て布（７Ｂ）により乳房の位置や形の変形を抑えることができる。
【００４６】
本発明においては、カップ台（３）とカップ部当て布（７）以外の部分、即ち、カップ部（２）、脇布（４）、肩紐（５）の素材は限定されず、通常のブラジャーにおいて使用される公知の素材が好適に使用される。また形状も特に限定されない。
【００４７】
本発明のブラジャー（１）においては、カップ部（２）の下縁部にワイヤーを装着することも可能であり、これにより、カップ部と乳房の位置がずれることを防ぐことができるとともに、乳房保持機能やバストアップ効果を発揮することができる。また、本発明に係るカップ部（２）が優れた融通性を有しているので、ワイヤーを装着したとしても、運動時にワイヤーが身体に食い込んで着用者が痛みを感じてしまうことはなく、良好な着用性を発揮することができる。
【産業上の利用可能性】
【００４８】
本発明に係るカップ部当て布を有するブラジャーを装着することによって、通常の家事労働のみでなく様々な強度の運動も含む、様々な胸部を捩じる上半身の運動などの際に、カップ部が身体の動きにスムーズに対応して、カップ部と乳房の位置がずれることを防ぐという機能を有しつつ、乳房の形を良好に保持するサポート機能、乳房を身体前中央に寄せる機能、バストアップ機能をより高めた、着用性に優れたブラジャーを提供することが可能となる。
【符号の説明】
【００４９】
１      ブラジャー
２      カップ部
２Ａ    右カップ部
２Ｂ    左カップ部
３      カップ台
３Ａ    右カップ台
３Ｂ    左カップ台
４      脇布
４Ａ    右脇布
４Ｂ    左脇布
５      肩紐
６      空間
７Ａ    右カップ部当て布
７Ｂ    左カップ部当て布
【要約】
【課題】着用者の運動時であっても、カップ部が乳房の動きに追従するとともに、運動により生じ得るカップ部と乳房の位置のずれを防ぎ、乳房を身体前中央に寄せる機能に加えて、常に乳房の形を良好に保持するサポート機能をより高めたブラジャーを提供すること。
【解決手段】左右１対のカップ部、該カップ部の下部に位置する２枚のカップ台、及び左右２枚の脇布と２枚のほぼ扇形のカップ部当て布とからなり、前記２枚のカップ台が、右カップ部の下縁部と左右２枚の脇布に縫合されてなる右カップ台及び、左カップ部の下縁部と左右２枚の脇布に縫合されてなる左カップ台であり、該右カップ台と該左カップ台は相互に縫合されておらず、前記カップ部当て布は、カップ部の外縁辺部を覆い、前記カップ部当て布の円弧状の下縁部が、カップ台と脇布に縫合されてなり、および前記カップ部当て布は、少なくとも前記カップ部当て布の円弧状の下縁部がカップ部表面の外縁部に縫合されてなることを特徴とする。
【選択図】図１【図１】
0005180390.tif 000002
【図２】
0005180390.tif 000003
【図３】
0005180390.tif 000004
【図４】
0005180390.tif 000005
【図５】
0005180390.tif 000006
【図６】
0005180390.tif 000007
【図７】
0005180390.tif 000008
【図８】
0005180390.tif 000009
【図９】
0005180390.tif 000010